(57)【特許請求の範囲】
【請求項１】
側面に２つの溝部が形成される表示部と、
前記表示部を互いに直交する２方向に回動可能に取り付けるヒンジ部、前記表示部を収容する凹部及び前記表示部が前記凹部に収容される際に、前記２つの溝部の一方と係合するロック部が形成される撮像部とを有する撮像装置であって、
前記表示部が前記凹部に収容され、前記２つの溝部の一方と前記ロック部が係合する際に、前記２つの溝部の他方を露出させる切り欠き部を前記ロック部の近傍に形成することを特徴とする撮像装置。
【請求項２】
前記表示部は、表示面が外側に向けられる状態と、前記表示面が内側に向けられる状態との間で回動自在であって、前記表示面が外側に向けられる状態では、前記２つの溝部のうち前記表示面から遠い方の溝部が前記ロック部に係合し、前記表示面が外側に向けられる状態では、前記２つの溝部のうち前記表示面から遠い方の溝部が前記ロック部に係合することを特徴とする請求項１に記載の撮像装置。
【発明の詳細な説明】
【０００１】
【発明の属する技術分野】
本発明は、被写体を撮影する撮像部と撮像した画像を表示する表示部とが相対的に回動し、なお且つその回動をロックする機構を備えた撮像装置に関する。
【０００２】
【従来の技術】
従来より、撮像部と表示部が相対的に回転可能な撮像装置が提案されている。近年、画像を表示する表示手段としてＬＣＤ（Liquid Crystal Display）パネルが用いられ、この表示手段を備えた表示部とカメラ部である撮像部とが、相対回動自在な構造を有するものがある。
【０００３】
この構成においては、回動部材である表示部をロックする機構が設けられており、ロック機構としては図４に示すような構造のものがある。
撮像部１に与えられた凹部に表示部２が収容される。そして、撮像部側に与えられたロック爪３と、表示部側に与えられた溝４とが係合する事により表示部２がロックされる。ロック爪３はバネ５によりＡの方向にバネ圧を加えられており、このバネ圧で表示部２をロックしている。ロックを解除するときは表示部を手でＣの回転方向へ引き出すような構成となっている。
【０００４】
さらに、表示部２はヒンジ部６により、Ｃ及びＤの方向に回動が可能である。
溝４は回動方向Ｃの回転中心を通るように与えられており、図５のようにＬＣＤパネルが表面に出ている時、図６のようにＬＣＤパネルが表面に出ていない時の両方の状態においてもロック爪と係合するような構成になっている。
【０００５】
【発明が解決しようとする課題】
しかしながら、以上に示す構成では、ロックを解除するときには表示部に対して指の掛かりが悪く、ロック解除しづらいという問題があった。
【０００６】
本発明は、かかる点に鑑みてなされたものであり、回動部材をロックすることができ、しかも不必要に表示部の厚みを持たせずともロックを容易に解除することを可能とする撮像装置を提供することを目的とする。
【０００７】
【課題を解決するための手段】
本発明者は、鋭意検討の結果、以下に示す発明の諸態様に想到した。
【０００８】
本発明の撮像装置は、側面に２つの溝部が形成される表示部と、前記表示部を互いに直交する２方向に回動可能に取り付けるヒンジ部、前記表示部を収容する凹部及び前記表示部が前記凹部に収容される際に、前記２つの溝部の一方と係合するロック部が形成される撮像部とを有する撮像装置であって、前記表示部が前記凹部に収容され、前記２つの溝部の一方と前記ロック部が係合する際に、前記２つの溝部の他方を露出させる切り欠き部を前記ロック部の近傍に形成することを特徴とする。
【００１４】
【発明の実施の形態】
本発明を適用した具体的な実施形態について、添付図面を参照して詳細に説明する。
【００１５】
図１は、本実施形態のデジタルカメラの主要構成を示す斜視図である。
同図において、１は撮像素子に被写体像を結像させる撮影光学系及び被写体像を電気信号に変換する撮像素子を含む撮像部である。２は、ＬＣＤパネル２’を含む表示部であり、ヒンジ部６によってＣ及びＤの方向に回動が可能である。ＬＣＤパネル２’には、撮影された撮像データを表示する機能を持つ。２１、２２は、撮像部１と表示部２の相対回転Ｃ，Ｄの回転軸である。
【００１６】
装置内には、図示せぬ信号処理手段及び反転手段及び検出手段が内蔵されている。
そして、Ｃ及びＤの回動をロックするロック機構を持たせている。撮像部１に与えられた凹部に表示部２が収容される。そして、撮像部側に与えられたロック爪３と、表示部側に与えられた溝４とが係合することにより表示部２がロックされる。ロック爪３はバネ５によりＡの方向にバネ圧を加えられており、このバネ圧で表示部２をロックしている。ロックを解除するときは表示部を手でＣの回転方向へ引き出すような構成となっている。
【００１７】
このような構成において、表示部２がロックされる状態について以下に説明をする。
【００１８】
（第１の状態）
図２は通常撮影状態を示す斜視図である。通常撮影状態とは、撮影者が観察方向の被写体の撮影を行う状態をいう。
まず撮像部１を所望の被写体１０に向ける。被写体１０の像は撮像部１の中の撮影光学系を通して撮像素子に結像される。撮像素子に達した被写体像は、撮影素子により電気信号に変換される。そして、電気信号は信号処理部を通して画像信号に変換されることになる。
【００１９】
その後、この画像信号は、装置の種類により記録部等に出力され、記録されることになるが、一方、撮影者に撮影しようとする撮像を確認させるために、表示部２の中のＬＣＤパネル２’にも撮像が出力される。このＬＣＤパネル２’は撮影者が装置から距離をおいた目で被写体１０の撮像を目視し確認するに十分な大きさを有している。
【００２０】
ここで、この通常撮影状態で撮像装置を構成する各部の向きは、撮像部１が撮影者の観察方向を向き、所望の被写体を撮像する。また、ＬＣＤパネル２’が、撮影者自身の方向を向き、ＬＣＤパネル２’上に、撮像されている被写体の撮像を表示する。
【００２１】
これにより、撮影者の観察方向に位置する被写体１０の撮影を、撮影者のほうに向いたＬＣＤパネル２’によって撮影者が装置から距離を置いた目で確認しながら撮影するというきわめて自然な撮影状態を提供できる。
【００２２】
（第２の状態）
カメラを持ち運んだりする時にはＬＣＤパネル２’が何かに衝突したりして、傷つく可能性があるし、カメラの消費電力を節約するため光学ファインダーで撮影するときにはカメラに操作者の顔を密着させる状態になるので、ＬＣＤパネル２’が汚れる可能性がある。これらの場合には図３のように、ＬＣＤパネル２’をカメラの内側になるようにすることで、ＬＣＤパネル２’の傷や汚れを効果的に防ぐことができる。
【００２３】
以上に述べた２つの場合でも、表示部２を容易にロック解除するために本発明では図１に示す機構を与えている。表示部２側に２箇所の溝部４が回動軸Ｃ、Ｄを含む平面に対して対称に与えられており、図２のようにＬＣＤパネル２’が表面に出ている時、図３のようにＬＣＤパネル２’が表面に出ていない時の両方の状態においてもいずれか一方の溝部４がロック爪３と係合するような構成になっている。そしてもう一方が表示部２のロックを解除するための指の掛合部位として利用することが出来る。
【００２４】
さらに本実施形態では、撮像部１側のロック爪３近傍にいずれか一方の溝部４に指を掛けることができるように切り欠き部７を与えており、これらの構成により一度ロックされた表示部も、表示部２の溝部４に指を掛け、容易にロック解除を行なうことができる。また表示部２がロックされたときにこの表示部２が撮像部１の内部に完全に入り込んでしまった状態でも容易にロックが解除でき、デザイン上もスリムな形状の撮像装置が実現する。
【００２５】
なお、本実施形態においては、撮像装置がデジタルカメラである場合について説明しているが、本発明はこれに限定されることなく、例えばデジタルビデオカメラである場合にも適用することができる。
【００２６】
【発明の効果】
本発明によれば、２つの溝部の一方とロック部が係合する際に、他方の溝部を露出させる切り欠き部をロック部の近傍に形成するので、表示部のロックを容易に解除できる。
【図面の簡単な説明】
【図１】本発明の実施形態に係る撮像装置の表示部ロック及びロック解除機構を説明するための斜視図である。
【図２】本発明の実施形態に係る撮像装置の表示部使用状態を説明するための斜視図である。
【図３】本発明の実施形態に係る撮像装置の表示部未使用状態を説明するための斜視図である。
【図４】従来の撮像装置の表示部ロック及びロック解除機構を説明する斜視図である。
【図５】従来の撮像装置の表示部使用状態を説明するための斜視図である。
【図６】従来の撮像装置の表示部未使用状態を説明するための斜視図である。
【符号の説明】
１・・・撮像部
２・・・表示部
２’・・・ＬＣＤパネル
３・・・ロック爪
４・・・溝部
５・・・バネ
６・・・ヒンジ部
７・・・切り欠き部
１０・・・被写体
２１・・・Ｃ方向回転の回転軸
２２・・・Ｄ方向回転の回転軸
【図１】
0004579410.tif 000002
【図２】
0004579410.tif 000003
【図３】
0004579410.tif 000004
【図４】
0004579410.tif 000005
【図５】
0004579410.tif 000006
【図６】
0004579410.tif 000007